(57)【特許請求の範囲】
【請求項１】
複数の遊技機が列設される遊技島台であって、
該遊技島台内には各遊技機に対応して玉計数装置が設けられ、
該玉計数装置は、前記遊技機より排出される遊技玉を受ける玉受皿と、該玉受皿より排出される遊技玉を計数可能な玉計数器と、前記玉受皿内の遊技玉を前記玉計数器を介して前記遊技島台内へと誘導する誘導樋とが一体的に設けられてなる基体部を備え、
前記基体部には、前記玉受皿を係止する係止部が設けられ、該係止部の係脱操作により前記玉受皿を基体部に対して着脱できるようになっており、
前記玉計数装置は遊技島台内部に臨む取付支持部をもって遊技島台に取付けられ、前記係止部の係脱操作部が、前記取付支持部とともに、遊技島台内に臨むように設けられている、
ことを特徴とする玉計数装置。
【請求項２】
前記玉受皿内所定箇所に形成され、前記誘導樋に連通する開口に、該開口を開閉自在とする開閉部材が設けられている請求項１に記載の玉計数装置。
【発明の詳細な説明】
【０００１】
【発明の属する技術分野】
本発明は、複数の遊技機が列設されてなる遊技島台に係わり、特に、前記遊技機より払い出される遊技玉を一時的に貯留し、計数した後遊技島台内に返却出来る玉計数装置に関する。
【０００２】
【従来の技術】
従来、複数の遊技機が列設されてなる遊技島台において、前記各遊技機に対応して設けられ、遊技機より払出される玉を一時的に貯留し、計数した後遊技島台内に返却出来る玉計数装置を有する遊技島台としては、例えば特開平６−２０５８７６号公報や、特開平８−３８７２６号公報に開示されたもの等がある。
【０００３】
【発明が解決しようとする課題】
しかしながら、このような装置にあっては、前記玉計数装置が遊技島台に対して一体的に設けられており、遊技客側からの不正行為を防止できるといった利点がある反面、例えば前記玉計数装置の内部において玉詰まり等の不具合が生じてメンテナンスが必要になった場合、玉計数装置の分解作業が大がかりとなるため、特に営業時間内に不具合が発生した際には、周囲の遊技客の遊技を中断させなければならなくなる等、遊技客に迷惑がかかる恐れがあった。
【０００４】
また、通常時における玉計数装置のメンテナンス、あるいは交換作業時においても取付け、取外し作業に手間がかかるといった問題があった。
【０００５】
本発明は、このような問題点に着目してなされたもので、装置内部において不具合が生じても容易にメンテナンス出来、かつ、遊技客側から不正が行いにくい玉計数装置を提供することを目的としている。
【０００６】
【課題を解決するための手段】
上記の目的を達成するための本発明の遊技島台は、複数の遊技機が列設される遊技島台であって、
複数の遊技機が列設される遊技島台であって、
該遊技島台内には各遊技機に対応して玉計数装置が設けられ、
該玉計数装置は、前記遊技機より排出される遊技玉を受ける玉受皿と、該玉受皿より排出される遊技玉を計数可能な玉計数器と、前記玉受皿内の遊技玉を前記玉計数器を介して前記遊技島台内へと誘導する誘導樋とが一体的に設けられてなる基体部を備え、
前記基体部には、前記玉受皿を係止する係止部が設けられ、該係止部の係脱操作により前記玉受皿を基体部に対して着脱できるようになっており、
前記玉計数装置は遊技島台内部に臨む取付支持部をもって遊技島台に取付けられ、前記係止部の係脱操作部が、前記取付支持部とともに、遊技島台内に臨むように設けられている、ことを特徴としている。
この特徴によれば、玉計数装置内部において玉詰まりが発生したり、異物が混入して不具合が生じても、玉計数装置全体を遊技島台から取外したりすることなく、玉受皿を取外すだけで容易に内部のメンテナンスを行うことが出来る。また、係止部の係脱操作のみで玉受皿を基体部に対して容易に着脱することが出来るばかりか、玉受皿の取外しが外部から出来なくなるため、遊技者による不正行為を防止できる。
【０００９】
本発明の遊技島台は、前記玉受皿内所定箇所に形成され、前記誘導樋に連通する開口に、該開口を開閉自在とする開閉部材が設けられていることが好ましい。
このように玉受皿自体に開閉部材を設けることで、玉受皿内に遊技玉があっても、開閉部材を閉めれば前記玉受皿内の遊技玉を他に移したりすることなく玉受皿を基体部から取外すことが出来るため、特に遊技中において発生する故障等に対する迅速な対応が可能となる。
【００１２】
【発明の実施の形態】
以下、本発明の実施形態を図面に基づいて説明していくと、まず図１には本発明の適用された遊技島台としてのパチンコ島台１が示されている。前記パチンコ島台１の前後面（後面は図示せず）は該パチンコ島台１内下部を覆う腰板７と、該腰板７上に列設される遊技機としてのパチンコ機２、及びパチンコ機２の隣に設けられる玉貸機３と、パチンコ島台１内の上部を覆う幕板６ａ、ランプ板６ｂ等とから構成され、その側面は、パチンコ機２上部に設けられる供給樋部（図示略）に連通するあふれ玉通路１０が固設される支持板９により構成されている。
【００１３】
本実施の形態におけるパチンコ島台１は、前後面にそれぞれ２機ずつのパチンコ機２と玉貸機３が列設され、内部にはこれらパチンコ機２を稼動させるべく必要なパチンコ玉や適宜装置等が全て収容されている１つの独立したパチンコ島台を構成しており、これら個々のパチンコ島台１を左右方向に複数連結し、長いパチンコ島台を形成することが出来るようになっている。この時、各パチンコ島台１内の配線は、支持板９上部に形成された開口１３を介して容易に接続出来るようになっている。なお、遊技島台はパチンコ島台１のように１つ１つが独立したものを複数連結するいわゆるユニット式に限らず、従来の数十台を１つのパチンコ島台として構成するものでもよい。また、パチンコ島台に取付けられる装置もこれに限らず、例えば玉貸機３にかえてカードリーダライタを有するいわゆるカードユニットなどでもよい。
【００１４】
前記パチンコ機２の下部前面には、図１〜図３に示すように、遊技者に対して払出されるパチンコ玉を一時的に貯留し、ハンドル１６の操作により作動する打球発射装置（図示略）にパチンコ玉を導く上皿１４と、該上皿１４よりオーバーフローするパチンコ玉を貯留出来る下皿１５とが突設されている。
【００１５】
前記下皿１５の下方には、後述する玉計数装置４の一部を構成する玉受皿５が、該下皿１５に設けられた排出口（図示せず）を下から覆うように固設されている。玉受皿５は上面が開口する箱体であり、該玉受皿５内より排出されるパチンコ玉はパチンコ島台１の下部に左右方向に配設される回収樋１６２（図１２参照）に導かれるようになっている。
【００１６】
図１の前記玉計数装置４の前面に形成される２４は、各パチンコ機２に対応して腰板７に形成される玉受収納部１１内に載置される玉受用コップ１２内に遊技者が所望するパチンコ玉を払戻させるための払戻ボタンであり、２５は前記払出可能なパチンコ玉が存在する時に点灯表示するＬＥＤランプである。
【００１７】
前記幕板６ａ、ランプ板６ｂは、特に図２に示されるように前方に開放可能に設けられており、幕板を開放することにより、各パチンコ機２にパチンコ玉を供給する供給樋部内、及びこの供給樋部の側部に形成される供給口（図示略）より連結される配送管、供給管（図示略）内において発生する玉詰りや、内部の適宜制御装置等のメンテナンスを外部より行えるようになっている。
【００１８】
ランプ板６ｂ前面には、適宜情報の表示が可能な情報表示装置８と、該情報表示装置８の下方に位置し、主に前記玉計数装置４より返却される玉数等を含め、遊技者の獲得玉数等を表示する計数玉数表示器１８とが設けられている。また、前記計数玉数表示器１８の隣には、離席ボタン２０、精算ボタン２１、精算端玉ボタン２２がそれぞれ設けられているとともに、２機のパチンコ機２の中間位置にカード挿入排出口１７が形成されている。尚、前記カード挿入排出口１７裏面には、適宜情報記録媒体としての磁気カードへの情報の記録が可能なカードリードライタ１９が配設されている。
【００１９】
ここで、本実施の形態におけるパチンコ島台１における遊技方法を簡単に説明する。まず遊技者は現金又はカード等を用いて玉貸機３よりパチンコ玉を購入し、遊技が出来るようになっている。遊技中、大当り等の発生により払出されたパチンコ玉は一時的に玉計数装置４の玉受皿５等に貯留出来、さらに多くの払出があれば、玉受皿５内のパチンコ玉を一時的に島台内に返却できるようになっている。ここで返却されたパチンコ玉数は計数玉数表示器１８及び情報表示装置８等に表示されるようになっており、遊技中にパチンコ玉がなくなり、一度返却したパチンコ玉、即ち計数玉数表示器１８に表示されている数値分のパチンコ玉を再びパチンコ玉に変換する場合、払戻ボタン２４を押圧すれば、玉受用コップ１２内に適宜量のパチンコ玉が払戻されるようになっている。
【００２０】
次に、遊技を一時的に中断する際に、計数玉数表示器１８に適宜玉数が表示されている場合、遊技者は自分の磁気カードをカード挿入排出口１７に挿入し、離席ボタン２０を押圧すれば、表示された玉数がカードリードライタ１９により記録されるとともに、再び同一の（自分の）磁気カードが挿入されるまでその玉数が保持されるようになっている。よって他人に持ち玉を奪われることがない。また、磁気カードがない時には、新規の磁気カードがカードリードライタ１９内より供給される。
【００２１】
そして遊技を終了する場合は、精算ボタン２１及び精算端玉ボタン２２を押圧し、表示された玉数磁気カードに記録させ、その磁気カードを景品カウンタに持っていき、景品に換えればよい。尚、精算端玉ボタン２２を選択した場合、端玉は玉受用コップ１２内に自動的に払戻されるようになっている。
【００２２】
次に、前記玉計数装置４について説明していくと、図４、図５、図６、図７に示されるように、主にパチンコ島台１の腰板７に着脱可能に取付けるための取付支持部２７ａ、２７ｂの固設された基体部２６と、該基体部２６に着脱可能に取付けられる玉受皿５と、前記基体部２６に固設され、前記玉受皿５内より排出されるパチンコ玉を回収樋へと導く誘導樋としてのレール１３３および補助レール７１と、該レール１３３および補助レール７１の途中に設けられ、前記各レールを通過するパチンコ玉を計数する玉計数器７６とから構成される。
【００２３】
特に図６に示されるように、前記玉受皿５の上面所定箇所には、緩衝部材１４１が載置されており、パチンコ機２の下皿１５の排出口より落下されるパチンコ玉の飛び跳ねが防止されるようになっている。なお、この緩衝部材１４１として導電性のゴムシートを使用し、パチンコ玉の除電が行えるようにしてもよい。また、玉受皿５自体が前記緩衝、導電性を有する部材で形成されていてもよい。
【００２４】
４８は玉受皿５内のパチンコ玉を排出するための開口であり、該開口４８はシャッター４６により開閉自在となっている。シャッター４６は、玉受皿５に形成された突部１１５と突部１１４との間に嵌挿された弾性部材４７により常時前記開口４８を閉とするように設けられている。また、前記シャッター４６の突部４３は玉受皿５下面に取付けられる補強板３７に形成される開口４２に摺動自在に嵌挿され、摺動方向に案内されるようになっている。
【００２５】
前記シャッター４６は玉受皿５に直接設けられ、かつ常時一方向に付勢されているので、玉受皿５を基体部２６より取外しても、開口４８は閉塞されるようになっている。よって玉受皿５の基体部２６からの取外し時に玉受皿５内にパチンコ玉が残っていても外部にこぼれる恐れがない。
【００２６】
前記補強板３７は、立片３８を玉受皿５の開口３９に差込んだ状態で取付穴４１を挿通するビスをもってに玉受皿５下面に取付けられる。４０は前記開口４８から排出されるパチンコ玉を誘導する誘導片であり、該誘導片４０の取付穴４４及び前記補強板３７の取付穴４５を挿通するビスにより補強板３７に取付けられる。
【００２７】
取付支持部２７ａ、２７ｂは、取付穴７２、および基体部２６の取付穴７３、及び基体部２６の下面に固着される取付板１５６の取付穴１６０を挿通するビスをもって基体部２６に固設される。後板にはねじ３５が螺入可能なねじ取付穴３６が形成されており、特に図１０に示されるように腰板７に形成される取付穴１５３より前記ねじ３５を挿通して取付穴３６に螺入させることで基体部２６を腰板７に取付けることが出来るようになっている。なお、取付支持部材２７ａの後板には図９に示されるコード１３７のコネクタ１３６の取付穴６４が形成されている。
【００２８】
図６に示されるように、取付支持部２７ａ、２７ｂ間には、連結部材６５が取付穴６７および支持部材２７にそれぞれ形成される取付穴６８を挿通するビスにより取付けられている。そして前記連結部材６５下方には開口１４３を有する補助レール７１が、取付穴７０および前記連結部材６５の取付穴６９を挿通するビスにより固着されている。前記開口１４３内には、取付穴１４６及び１４５を挿通するビスにより補助レール７１下面に取付けられる係止部材１４４をもって通過玉検出器１４２が設けられる。
【００２９】
さらに側板前部には、取付穴６６および取付穴５８を挿通するビスを介して取付部材５６が取付けられている。該取付部材５６に形成された開口５７内には後端部が腰板７の開口１５４を挿通するように延出され、かつ前端部が、回転軸５４を中心に回転可能に枢支された係止部材５５の先端にＥリング５１およびワッシャー５３を介して連結されるロッド４９が摺動自在に支持されている。前記後端部にはＥリング５１を介してつまみ部材５０が取付けられている。また、前記ロッド４９は、特に図１１、図１２に示されるように開口５７と２つのワッシャー５３に挾持されるＥリング５１との間に装着される弾性部材５２により前記係止部材５５の先端が前方に付勢されるようになっている。
【００３０】
図７及び図１２に示されるように、玉整流部７５を構成する複数本のレール１３３間は仕切板３１、３２により各々仕切られており、両側は該仕切板３１、３２は、貫通穴８４と取付穴８６を挿通する軸８１、および貫通穴８５と取付穴８６を挿通する軸８２を介して基体部２６内に固設されている。前記左右両仕切板３１、３１後部間には玉ならし板３４が軸３３を介して枢支されている。この軸３３の両端はＥリング５１を介して固定されている。該両仕切板３１、３１上部間には、前記各仕切板３２間に設けられるウェイト７９を有する玉ならし部材７８が回動可能に枢支される軸７７が挿通されている。なお、ねじ７４は玉ならし板３４の上方向の押上げを抑制するためのものである。
【００３１】
玉計数器７６は、受光器基板８９、と、仕切板９１と、取付部材９４と、スペーサー９２と、該スペーサ上部に取付けられる透明板９３と、発光器基板９０とからなり、これらは各部材に形成された取付穴９７、９８、９９、１０１、１０２を挿通するビスにより一体的に固定され、基体部２６の位置決め部１０４上に載置され、前記取付部材９４の他端が取付穴９４を挿通するビスにより取付けボス１０３に取付けられることで固定されるようになっている。なお、９５、９６は投光穴である。このように、本実施形態における玉計数器はフォトスイッチを用いているが、これに限らず近接スイッチなどパチンコ玉の通過を検出し計数できるものであればよい。
【００３２】
基体部２６の全面に形成された開口１０８には、開閉レバー取付部材１０９が嵌合され、ビスにより固定されている。該開閉レバー取付部材１０９裏面には、開閉レバー２３が、突起１１６が前記開閉レバー取付部材１０９の開口１１０に臨むように左右方向に摺動自在に嵌挿されている。また、前記開閉レバー２３は、該開閉レバー２３の一端部に突設された突起１１２に嵌挿される弾性部材１１１により常時所定方向に付勢されている。
【００３３】
前記開閉レバー２３裏面には、開口１１８を有するスペーサー１１７を挟んで一端に突片１２３が屈曲形成された係止部材１１９が、取付穴及びスペーサー１１７の開口１１８を挿通して開閉レバー２３裏面に突設される取付ボス１２１に螺入されるビスにより取付けられている。前記突片１２３は、図６に示される玉受皿５の開口４８のシャッター４６に形成される溝１２２内に係止されるようになっている。
【００３４】
特に図６、図７に示されているように、開閉レバー２３とシャッター４６とが、互いに同方向、すなわち前記シャッター４６により開口４８が閉塞される方向に対して常時付勢されているため、玉受皿５を取付けた際に確実に突片１２３と溝１２２とが係合でき、玉受皿５の基体部２６への取付けが容易となる。
【００３５】
８３は取付穴８７を挿通するビスにより基体部２６の取付ボス８８に固定される金属製の補強板である。
【００３６】
１３１は前面にＬＥＤランプ２５が設けられたＬＥＤ・スイッチ基板であり、前記ＬＥＤランプ２５が基体部２６の前板に形成された開口１３０に臨むように取付穴１３２を挿通するビスにより基体部２６の前板に取付けられている。払戻ボタン２４は、開口１２８に挿通する係止片１２５をもって払戻ボタン取付部１２６に係止されており、かつ開口１２９を挿通し、前記払戻ボタン２４を押圧することにより前記ＬＥＤ・スイッチ基板１３１のスイッチ部に接触可能になるように、その先端に突起１２７が突設されている。なお、１２４は該突起１２７に嵌挿された弾性部材であり、押圧された払戻ボタン２４を弾性復帰可能としている。
【００３７】
また、図９及び図１２に示されるように、ＬＥＤランプ２５、玉計数器７６の発光素子１３４及び受光素子１３５、通過玉検出器１４２よりそれぞれ延設されるコード１３７は全て集束されて、配線誘導片１４７を介して取付支持部２７ａ内（配線処理空間１３８）に配線され、取付支持部２７ａの後板に形成される取付穴６４に取付けられるコネクタ１３６に連結される。また、取付支持部２７ａ、２７ｂの上部は開口となっていて、断面コ字状に形成されているので、配線処理しやすい。
【００３８】
このように構成される玉計数装置４は、図１０、図１１に示されるように、取付支持部２７ａ、２７ｂを腰板７に形成された開口を介して挿通するとともに、その下方の補助レール７１を開口１５２を介して腰板７内に挿通させ、ねじ３５を腰板７の取付穴１５３を介して前記取付支持部２７ａ、２７ｂの後板のねじ取付穴３６に螺入することで、腰板７に着脱自在に固設出来るようになっている。この時腰板７の開口１５４からは操作レバー２８のつまみ部材５０が突出するようになっている。
【００３９】
玉受皿５は、特に図１１に示されるように、その下面に固着された補強板３７の前端に形成された突部５９を、取付支持部２７ａ、２７ｂに固着された係止部材６０に差し込んだ状態で基枠部２６上に載置される。この時、玉受皿５の後部所定箇所に形成された切欠き部１６３内に係止部材５５が嵌合され、補強板３７の後端が前記係止部材５５により係止されるため、前記玉受皿５は取外し不可能となる。
【００４０】
この係止部材５５の係脱操作は、パチンコ島台１内から操作レバー２８を介してのみ可能となっているため、外部から玉受皿５を取外すことは出来ず遊技者及び第３者による不正行為を適宜防止できるようになっている。取外す場合は、腰板７上面に載置される外枠底面板１５０上の外枠１４８に枢着されるパチンコ機２の前面枠１５１を開放し、そこから手を挿入して操作レバー２８を操作すればよい。また、玉計数装置４をパチンコ島台１から取りはずすには、ねじ３５を取りはずせばよいが、取付支持部２７ａ、２７ｂがパチンコ島台１内なので、同様にパチンコ機２の前面枠１５１を開放する必要がある。前記前面枠１５１は通常適宜錠等により施錠されて閉塞されているため、前記操作レバー２８の係脱操作または玉計数装置４の着脱は店員等以外の者には容易に出来ないようになっている。なお、１４９は外枠１４８の下方を覆う外枠前面板である。
【００４１】
また、前記操作レバー２８の操作は、パチンコ機２の前面枠１５１に限らず、その他パチンコ島台１に設けられる適宜開閉扉を開放することにより出来るようにしてもよい。
【００４２】
このように構成される玉計数装置４は、パチンコ機２より排出されるパチンコ玉を受ける玉受皿５と、該玉受皿５より排出されるパチンコ玉を計数可能な玉計数器７６と、前記玉受皿５内のパチンコ玉を前記玉計数器７６を介してパチンコ島台１内へと誘導する誘導樋とが一体的に設けられ、かつパチンコ島台１に対して着脱自在に設けられているため、メンテナンスや交換作業を容易に行うことが出来る。
【００４３】
さらに玉受皿５が取外し可能なことにより、内部における玉詰まり等各装置のメンテナンス及び配線処理が行い易くなる。また、取付け、取外し操作は外部からは出来ないようになっているため、不正行為を回避できる。
【００４４】
次に玉計数装置４の操作方法及び該操作に伴う作用を説明すると、まず図１０に示されるようにパチンコ機２の下皿１５より排出されるパチンコ玉は、玉受皿５内の緩衝部材１４１上に落下される。玉受皿５の底面１３９は、パチンコ機２側より前方に向かって下方に傾斜するように形成されているため、落下されたパチンコ玉は傾斜下位側にある開口４８付近から貯留されていく。この時前記開口４８はシャッター４６により閉塞されている。
【００４５】
前記玉受皿５内に貯留されたパチンコ玉を排出する場合、突起１１６を介して開閉レバー２３を水平方向に摺動させれば、係止部材１１９の突片１２３と溝１２２を介してシャッター４６が連動され、開口４８が開放されることになる。前記開口４８より前方に向かって排出されたパチンコ玉は誘導片４０を通過した後下方に落下して、補強板８３を介して方向転換される。
【００４６】
このように前記開口４８を玉受皿５の底面１３９傾斜下位側に設け、そこからパチンコ玉をパチンコ島台１に向けて方向転換させることで、遊技者に邪魔にならないように玉受皿５内により長い誘導樋を形成出来る。よってパチンコ玉を十分に整流出来るので、計数を迅速にかつ正確に行える。また、玉計数器７６を開口４８からより離間して設けることが出来るため、不正行為をより効果的に防止できる。また前記開口４８を玉受皿５の底面１３９に対してほぼ垂直となり、底面１３９傾斜下位側の立壁に設けたので、底面に開口を設けるものよりも長い誘導樋を形成できる。
【００４７】
方向転換されたパチンコ玉は、前記玉整流部７５内に進入する。ここで各パチンコ玉は仕切板３１、３２により複数列設される各レール１３３に１列ずつ進入するように振り分けられる。ここで各パチンコ玉に付着されたゴミ等は、各レール１３３間から落下されるようになっているため、レール１３３間における玉詰まり等が発生しにくくなっている。振り分けられた各パチンコ玉は、玉受皿５前方よりパチンコ機２に向かって下方に傾斜するレール１３３上を通過する途中で、玉計数器７６内をパチンコ玉が１列ずつ１段の状態で通過するように玉ならし部材７８及び玉ならし板３４により平坦に均らされる。なお、図７などに示す開口１０７により、誤ってジュースなどの液体が玉計数装置４内に入ってしまっても、玉計数装置外に排出されるので、それらによる故障を防げる。
【００４８】
前記玉計数器７６を通過したパチンコ玉数は全て計数され、その情報はコード１３７を介して適宜制御装置に送信され、その数値は前述したようにパチンコ機２上部の計数玉表示器１８又は情報表示装置８内に表示されるようになっている。さらにパチンコ玉は補助レール７１の通過玉検出器１４２上を通過して、回収樋１６２に排出されるようになっている。前記通過玉検出器１４２は、不正行為を発見するために設けられるものであり、前記玉計数器７６が作動状態にある場合、前記通過玉検出器１４２が通過するパチンコ玉を検出出来ない時は何らかの不正行為がなされていると判別されるようになっている。
【００４９】
図１３には、本発明の他の実施形態としての玉計数装置４が示されている。本実施形態における玉受皿５は、主に遊技者の所有する適宜小物等を載置出来、パチンコ機２のハンドル１６を持つ手を支えるための突出板１５７と、上面に、主にドリンク等を載置する凹部１５９が形成された突出板１５８が両側面にそれぞれ垂設されてなるものであり、このように玉受皿５に従来のカウンタ台等に代わる突出板１５７、１５８等を設けてもよい。なお、前記突出板１５７、１５８は折り畳み可能としてもよいし、玉計数基枠部４ａまたは腰板７に取付けられていてもよい。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
なお、本発明の請求の範囲に記載されている「係合部」は実施形態中における係止部材５５と切欠き部１６３とからなる。
【００５２】
例えば、本実施形態におけるシャッター４６は、玉受皿５に設けられていたが、本発明においては特に設けられていなくてもよく、また、前記シャッター４６が基体部２６に設けられていてもよい。
【００５３】
また、玉受皿５は、基体部２６に対して簡単に取外し可能なビス等で着脱できるようになっていてもよい。
【００５４】
【発明の効果】
本発明の方法及び装置によれば、次のような効果が得られる。
【００５５】
（ａ）請求項１の発明によれば、玉計数装置内部において玉詰まりが発生したり、異物が混入して不具合が生じても、玉計数装置全体を遊技島台から取外したりすることなく、玉受皿を取外すだけで容易に内部のメンテナンスを行うことが出来る。また、係止部の係脱操作のみで玉受皿を基体部に対して容易に着脱することが出来るばかりか、玉受皿の取外しが外部から出来なくなるため、遊技者による不正行為を防止できる。
【００５８】
（ｂ）請求項２の発明によれば、玉受皿自体に開閉部材を設けることで、玉受皿内に遊技玉があっても、開閉部材を閉めれば前記玉受皿内の遊技玉を他に移したりすることなく玉受皿を基体部から取外すことが出来るため、特に遊技中において発生する故障等に対する迅速な対応が可能となる。
【００６１】
【図面の簡単な説明】
【図１】本発明の第１の実施形態としてのパチンコ島台を示す斜視図である。
【図２】同じく第１の実施形態としてのパチンコ島台を示す斜視図である。
【図３】第１の実施形態としてのパチンコ島台を示す側面図である。
【図４】玉計数装置を示す斜視図である。
【図５】図４の玉計数装置の内部構造図である。
【図６】同じく図４の玉計数装置の分解斜視図である。
【図７】同じく図４の玉計数装置の分解斜視図である。
【図８】図４のＡ−Ａ断面図である。
【図９】図４のＢ−Ｂ断面図である。
【図１０】図４の玉計数装置をパチンコ島台に取付けた状態を示す側方断面図である。
【図１１】同じくパチンコ島台に取付けられた玉計数器の玉受皿の着脱方法を示す側方断面図である。
【図１２】図５の玉計数装置の下半部の平面図である。
【図１３】本発明の他の実施形態としての玉計数装置を示す斜視図である。
【符号の説明】
１                    パチンコ島台（遊技島台）
２                    パチンコ機（遊技機）
３                    玉貸機
４                    玉計数装置
５                    玉受皿
６ａ                  幕板
６ｂ                  ランプ板
７                    腰板
８                    情報表示装置
９                    支持板
１１                    玉受収納部
１２                    玉受用コップ
１５                    下皿
１８                    計数玉数表示器
２０                    離席ボタン
２１                    精算ボタン
２２                    精算端玉ボタン
２３                    開閉レバー（開閉操作部）
２４                    払戻ボタン
２５                    ＬＥＤランプ
２６                    基体部
２７ａ、２７ｂ          取付支持部
２８                    操作レバー（係脱操作部）
３１、３２              仕切板
３４                    玉ならし板
３７                    補強板
４０                    誘導片
４２、４８、５７        開口
４６                    シャッター（開閉部材）
４７                    弾性部材
４９                    ロッド
５０                    つまみ部材
５２                    弾性部材
５４                    回転軸
５５                    係止部材（係止部）
６０                    係止部材
６１                    溝
６５                    連結部材
７１                    補助レール（誘導樋）
７５                    玉整流部
７６                    玉計数器
７８                    玉ならし部材
７９                    ウェイト
８９                    受光器基板
９０                    発光器基板
９１                    仕切板
９２                    スペーサ
１０７、１０８、１１０    開口
１０９                    開閉レバー取付部材
１１８                    開口
１１９                    係止部材
１２２                    溝
１２３                    突片
１２４                    弾性部材
１２５                    係止片
１２６                    払出ボタン取付部
１２８、１２９、１３０    開口
１３３                    レール（誘導樋）
１３６                    コネクタ
１３７                    コード
１３８                    配線処理空間
１３９                    底面
１４１                    かん衝部材
１４２                    通過玉検出器
１４４                    係止部材
１４８                    外枠
１５１                    前面枠
１５２                    開口
１５７、１５８            突出板
１６２                    回収樋
１６３                    切欠き部（係止部）
【図１】
0004046200.tif 000002
【図２】
0004046200.tif 000003
【図３】
0004046200.tif 000004
【図４】
0004046200.tif 000005
【図５】
0004046200.tif 000006
【図６】
0004046200.tif 000007
【図７】
0004046200.tif 000008
【図８】
0004046200.tif 000009
【図９】
0004046200.tif 000010
【図１０】
0004046200.tif 000011
【図１１】
0004046200.tif 000012
【図１２】
0004046200.tif 000013
【図１３】
0004046200.tif 000014